(57)【要約】【課題】各種商品を電子チケット化するシステム等を提供することを目的とする。【解決手段】サーバー１は、携帯電話４からの電子チケット送信要求を受け付け、これに対して携帯電話４に権利情報の一部が不完全な仮電子チケットデータを送信する。チケット所望者は、所定商品に取り付けられたＩＣタグのデータをリーダライタ５ｃで読み取ってサーバー１に送信する。これを受信したサーバー１は、このＩＣタグのデータと前記仮電子チケットデータとを合成して完全な電子チケットデータとし、これを携帯電話４に送信する。チケット所望者は、この完全な電子チケットデータをリーダライタ５ｃを介して前記商品のＩＣタグに送信し、ＩＣタグに完全な電子チケットデータを格納させる。コンサート当日、会場に設置された入場管理端末３は、この商品に取り付けられたＩＣタグの電子チケットデータを読み取ることで、各観客の入場の許否を判断する。 【選択図】  図５
2006113646.tif 000002
【特許請求の範囲】
【請求項１】
商品に取り付けられた無線通信装置の記憶手段に一部不完全な電子チケット情報が記憶されており前記不完全電子チケット情報は書込み手段を介して前記商品が清算済みであるとの情報が書き込まれることによって完全な電子チケット情報となることを特徴とする電子チケット。
【請求項２】
前記無線通信装置はＩＣタグであることを特徴とする請求項１記載の電子チケット。
【請求項３】
商品に取り付けられた無線通信装置の記憶手段に電子チケット情報が記憶されている電子チケットであってその電子チケット情報は書込み手段を介して情報の処理を行う処理手段から電子チケット情報を受信したものであることを特徴とする電子チケット。
【請求項４】
前記無線通信装置はＩＣタグであることを特徴とする請求項３記載の電子チケット。
【請求項５】
商品に取り付けられた無線通信装置の記憶手段に一部不完全な電子チケット情報が記憶されており前記不完全電子チケット情報は書込み手段を介して情報の処理を行う処理手段から電子チケット情報の一部を受信することによって完全な電子チケット情報となることを特徴とする電子チケット。
【請求項６】
前記無線通信装置はＩＣタグであることを特徴とする請求項５記載の電子チケット。
【請求項７】
興行に関する情報であってその一部が不完全である情報を記憶する不完全興行情報記憶手段と、
情報の処理を行う処理手段とを備え、
前記処理手段は、商品に取り付けられた無線通信装置に記憶されている電子チケット特定情報を読取手段を介して受信する電子チケット特定情報受信手段と、
前記電子チケット特定情報に基づいて前記不完全興行情報を検索し前記不完全興行情報を完全な興行情報に更新する興行情報更新手段と、
その更新した前記完全興行情報を書込み手段を介して前記無線通信装置に送信する完全興行情報送信手段と
を備えることを特徴とする電子チケット化システム。
【請求項８】
前記興行情報更新手段は、前記商品が清算済みであることを表す情報に更新することにより前記不完全興行情報を前記完全興行情報に更新する手段であることを特徴とする請求項７記載の電子チケット化システム。
【請求項９】
前記無線通信装置に記憶されている更新された前記完全電子チケット情報は、会場に設置された入場管理手段によって読み取られ入場の許否を判断するための情報となることを特徴とする請求項７乃至８記載の電子チケット化システム。
【請求項１０】
前記無線通信装置はＩＣタグであることを特徴とする請求項７乃至９記載の電子チケット化システム。
【請求項１１】
チケットの権利情報を電子化したものであって一部が不完全な権利情報である仮電子チケット情報を記憶する仮電子チケット情報記憶手段と、
情報の処理を行う処理手段とを備え、
前記処理手段は、利用者が使用するチケット受信手段から仮電子チケット特定情報を受け付ける仮電子チケット特定情報受信手段と、
前記仮電子チケット特定情報に基づいて前記仮電子チケット情報を検索し該当する仮電子チケット情報を抽出する該仮電子チケット情報抽出手段と、
商品に取り付けられた無線通信装置に記憶されている仮電子チケット補完情報を読取手段を介して受信する仮電子チケット補完情報受信手段と、
前記仮電子チケット補完情報によって一部が不完全な前記該仮電子チケット情報を完全な電子チケット情報に更新する仮電子チケット情報更新手段と、
その更新したことによって完全なものとなった完全電子チケット情報を前記チケット受信手段に送信する完全電子チケット送信手段と
を備えることを特徴とする電子チケット化システム。
【請求項１２】
前記仮電子チケット情報更新手段は、前記無線通信装置に記憶されている前記仮電子チケット補完情報を受信したことを表す情報に更新する手段であることを特徴とする請求項１１記載の電子チケット化システム。
【請求項１３】
前記仮電子チケット情報更新手段は、前記商品が清算済みであることを表す情報に更新する手段であることを特徴とする請求項１１乃至１２記載の電子チケット化システム。
【請求項１４】
前記チケット受信手段に送信された前記完全電子チケット情報は、会場に設置された入場管理手段によって読み取られ入場の許否を判断するための情報となることを特徴とする請求項１１乃至１３記載の電子チケット化システム。
【請求項１５】
前記チケット受信手段に送信された前記完全電子チケット情報は、前記チケット受信手段から書込み手段を介して前記無線通信装置に送信されるものであって会場に設置された入場管理手段によって読み取られ入場の許否を判断するための情報となることを特徴とする請求項１１乃至１３記載の電子チケット化システム。
【請求項１６】
前記無線通信装置はＩＣタグであることを特徴とする請求項１１乃至１５記載の電子チケット化システム。
【請求項１７】
応募者に関する情報を記憶する応募者登録情報記憶手段と、チケットの権利情報を電子化した電子チケット情報を記憶する電子チケット情報記憶手段と、
情報の処理を行なう処理手段とを備え、
前記処理手段は、前記応募者の使用する応募者申込手段から応募申込を受け付ける応募申込受信手段と、
商品に取り付けられた無線通信装置の記憶装置に記憶されている前記商品が清算済みであるとの情報が書き込まれた商品情報を読取手段を介して受信する商品情報受信手段と、
その受信した前記商品情報によって前記応募者登録情報を更新する応募者登録情報更新手段と、
所定数の前記商品情報を受信後に前記応募者が使用する電子チケットを受信するためのチケット受信手段に前記電子チケットを送信する電子チケット送信手段と
を備えることを特徴とする電子チケット化システム。
【請求項１８】
前記処理手段は、応募者の中から所定数の当選者を決定するための抽選を行なう抽選処理手段とを備えることを特徴とする請求項１７記載の電子チケット化システム。
【請求項１９】
前記無線通信装置はＩＣタグであることを特徴とする請求項１７乃至１８記載の電子チケット化システム。
【請求項２０】
興行に関する情報であってその一部が不完全である情報を記憶する不完全興行情報記憶手段と、情報の処理を行う処理手段とを備えるシステムにおける前記処理手段に処理を命令するものであって、
前記処理手段を、商品に取り付けられた無線通信装置に記憶されている電子チケット特定情報を読取手段を介して受信する電子チケット特定情報受信手段と、前記電子チケット特定情報に基づいて前記不完全興行情報を検索し前記不完全興行情報を完全な興行情報に更新する興行情報更新手段と、その更新した前記完全興行情報を書込み手段を介して前記無線通信装置に送信する完全興行情報送信手段として機能させることを特徴とする電子チケット化プログラム。
【請求項２１】
前記興行情報更新手段は、前記商品が清算済みであることを表す情報に更新することにより前記不完全興行情報を前記完全興行情報に更新する手段であることを特徴とする請求項２０記載の電子チケット化プログラム。
【請求項２２】
前記無線通信装置に記憶されている更新された前記完全電子チケット情報は、会場に設置された入場管理手段によって読み取られ入場の許否を判断するための情報となることを特徴とする請求項２０乃至２１記載の電子チケット化プログラム。
【請求項２３】
前記無線通信装置はＩＣタグであることを特徴とする請求項２０乃至２２記載の電子チケット化プログラム。
【請求項２４】
チケットの権利情報を電子化したものであって一部が不完全な権利情報である仮電子チケット情報を記憶する仮電子チケット情報記憶手段と、情報の処理を行う処理手段とを備えるシステムにおける前記処理手段に処理を命令するものであって、
前記処理手段を、利用者が使用するチケット受信手段から仮電子チケット特定情報を受け付ける仮電子チケット特定情報受信手段と、前記仮電子チケット特定情報に基づいて前記仮電子チケット情報を検索し該当する仮電子チケット情報を抽出する該仮電子チケット情報抽出手段と、商品に取り付けられた無線通信装置に記憶されている仮電子チケット補完情報を読取手段を介して受信する仮電子チケット補完情報受信手段と、前記仮電子チケット補完情報によって一部が不完全な前記該仮電子チケット情報を完全な電子チケット情報に更新する仮電子チケット情報更新手段と、その更新したことによって完全なものとなった完全電子チケット情報を前記チケット受信手段に送信する完全電子チケット送信手段として機能させることを特徴とする電子チケット化プログラム。
【請求項２５】
前記仮電子チケット情報更新手段は、前記無線通信装置に記憶されている前記仮電子チケット補完情報を受信したことを表す情報に更新する手段であることを特徴とする請求項２４記載の電子チケット化プログラム。
【請求項２６】
前記仮電子チケット情報更新手段は、前記商品が清算済みであることを表す情報に更新する手段であることを特徴とする請求項２４乃至２５記載の電子チケット化プログラム。
【請求項２７】
前記チケット受信手段に送信された前記完全電子チケット情報は、会場に設置された入場管理手段によって読み取られ入場の許否を判断するための情報となることを特徴とする請求項２４乃至２６記載の電子チケット化プログラム。
【請求項２８】
前記チケット受信手段に送信された前記完全電子チケット情報は、前記チケット受信手段から書込み手段を介して前記無線通信装置に送信されるものであって会場に設置された入場管理手段によって読み取られ入場の許否を判断するための情報となることを特徴とする請求項２４乃至２６記載の電子チケット化プログラム。
【請求項２９】
前記無線通信装置はＩＣタグであることを特徴とする請求項２４乃至２８記載の電子チケット化プログラム。
【請求項３０】
応募者に関する情報を記憶する応募者登録情報記憶手段と、チケットの権利情報を電子化した電子チケット情報を記憶する電子チケット情報記憶手段と、情報の処理を行なう処理手段とを備えるシステムにおける前記処理手段に処理を命令するものであって、
前記処理手段を、前記応募者の使用する応募者申込手段から応募申込を受け付ける応募申込受信手段と、商品に取り付けられた無線通信装置の記憶装置に記憶されている前記商品が清算済みであるとの情報が書き込まれた商品情報を読取手段を介して受信する商品情報受信手段と、その受信した前記商品情報によって前記応募者登録情報を更新する応募者登録情報更新手段と、所定数の前記商品情報を受信後に前記応募者が使用する電子チケットを受信するためのチケット受信手段に前記電子チケットを送信する電子チケット送信手段として機能させることを特徴とする電子チケット化プログラム。
【請求項３１】
前記処理手段を、応募者の中から所定数の当選者を決定するための抽選を行なう抽選処理手段として機能させることを特徴とする請求項３０記載の電子チケット化プログラム。
【請求項３２】
前記無線通信装置はＩＣタグであることを特徴とする請求項３０乃至３１記載の電子チケット化プログラム。
【請求項３３】
コンピュータが、
興行に関する情報であってその一部が不完全である情報を記憶する不完全興行情報記憶ステップと、
商品に取り付けられた無線通信装置に記憶されている電子チケット特定情報を読取手段を介して受信する電子チケット特定情報受信ステップと、
前記電子チケット特定情報に基づいて前記不完全興行情報を検索し前記不完全興行情報を完全な興行情報に更新する興行情報更新ステップと、
その更新した前記完全興行情報を書込み手段を介して前記無線通信装置に送信する完全興行情報送信ステップと
から構成されることを特徴とする電子チケット化方法。
【請求項３４】
前記興行情報更新ステップは、前記商品が清算済みであることを表す情報に更新することにより前記不完全興行情報を前記完全興行情報に更新するステップであることを特徴とする請求項３３記載の電子チケット化方法。
【請求項３５】
前記無線通信装置に記憶されている更新された前記完全電子チケット情報は、会場に設置された入場管理手段によって読み取られ入場の許否を判断するための情報となることを特徴とする請求項３３乃至３４記載の電子チケット化方法。
【請求項３６】
前記無線通信装置はＩＣタグであることを特徴とする請求項３３乃至３５記載の電子チケット化方法。
【請求項３７】
コンピュータが、
チケットの権利情報を電子化したものであって一部が不完全な権利情報である仮電子チケット情報を記憶する仮電子チケット情報記憶ステップと、
利用者が使用するチケット受信手段から仮電子チケット特定情報を受け付ける仮電子チケット特定情報受信ステップと、
前記仮電子チケット特定情報に基づいて前記仮電子チケット情報を検索し該当する仮電子チケット情報を抽出する該仮電子チケット情報抽出ステップと、
商品に取り付けられた無線通信装置に記憶されている仮電子チケット補完情報を読取手段を介して受信する仮電子チケット補完情報受信ステップと、
前記仮電子チケット補完情報によって一部が不完全な前記該仮電子チケット情報を完全な電子チケット情報に更新する仮電子チケット情報更新ステップと、
その更新したことによって完全なものとなった完全電子チケット情報を前記チケット受信手段に送信する完全電子チケット送信ステップと
から構成されることを特徴とする電子チケット化方法。
【請求項３８】
前記仮電子チケット情報更新ステップは、前記無線通信装置に記憶されている前記仮電子チケット補完情報を受信したことを表す情報に更新するステップであることを特徴とする請求項３７記載の電子チケット化方法。
【請求項３９】
前記仮電子チケット情報更新ステップは、前記商品が清算済みであることを表す情報に更新するステップであることを特徴とする請求項３７乃至３８記載の電子チケット化方法。
【請求項４０】
前記チケット受信手段に送信された前記完全電子チケット情報は、会場に設置された入場管理手段によって読み取られ入場の許否を判断するための情報となることを特徴とする請求項３７乃至３９記載の電子チケット化方法。
【請求項４１】
前記チケット受信手段に送信された前記完全電子チケット情報は、前記チケット受信手段から書込み手段を介して前記無線通信装置に送信されるものであって会場に設置された入場管理手段によって読み取られ入場の許否を判断するための情報となることを特徴とする請求項３７乃至３９記載の電子チケット化方法。
【請求項４２】
前記無線通信装置はＩＣタグであることを特徴とする請求項３７乃至４１記載の電子チケット化方法。
【請求項４３】
コンピュータが、
応募者に関する情報を記憶する応募者登録情報記憶ステップと、チケットの権利情報を電子化した電子チケット情報を記憶する電子チケット情報記憶ステップと、
前記応募者の使用する応募者申込手段から応募申込を受け付ける応募申込受信ステップと、
商品に取り付けられた無線通信装置の記憶装置に記憶されている前記商品が清算済みであるとの情報が書き込まれた商品情報を読取手段を介して受信する商品情報受信ステップと、
その受信した前記商品情報によって前記応募者登録情報を更新する応募者登録情報更新ステップと、
所定数の前記商品情報を受信後に前記応募者が使用する電子チケットを受信するためのチケット受信手段に前記電子チケットを送信する電子チケット送信ステップと
から構成されることを特徴とする電子チケット化方法。
【請求項４４】
前記処理ステップは、応募者の中から所定数の当選者を決定するための抽選を行なう抽選処理ステップとから構成されることを特徴とする請求項４３記載の電子チケット化方法。
【請求項４５】
前記無線通信装置はＩＣタグであることを特徴とする請求項４３乃至４４記載の電子チケット化方法。
【発明の詳細な説明】
【技術分野】
【０００１】
本発明は、各種商品を電子チケット化するシステム等に関するものである。
【背景技術】
【０００２】
現在、コンサートやスポーツの試合など多くのイベントで協賛企業を募って興行が行なわれている。それは、マスメディア等を通じて自社ブランドや自社商品が紹介されることで、消費者の購買意欲や認知度を高めるためである。そのための一方策として、例えばコンサートなどのチケットをクローズド懸賞の形をとって販売することが行なわれている。すなわち、コンサートチケットプレゼントキャンペーンなどとして、自社の特定の商品を購入した人のみが応募可能とし、その応募者の中から抽選で当選した者のみ、そのチケットを贈呈するというものである（例えば特許文献１参照）。
【０００３】
【特許文献１】特開２００１−３１９０１０号公報（第４頁、図３）
【発明の開示】
【発明が解決しようとする課題】
【０００４】
しかしこのような従来の方法は、協賛企業として、そのイベントを通して自社ブランドや自社商品の認知度を高めるという点に関しては、消費者に直接的に訴えるものとはいえず、その効果は不明確・不十分であった。
【０００５】
本発明はこのような問題に鑑みてなされたものであり、コンサートやスポーツの試合など様々な興行において、その協賛企業の特定商品自体を電子チケット化するためのシステム等を提供するものである。
【課題を解決するための手段】
【０００６】
本発明は、例えば以下の構成からなる電子チケット又は以下のような手段を備えるシステム、以下のような処理を行う方法（以下のようなステップから構成される方法）、各種手段（コンピュータ等）を以下のように機能させるコンピュータプログラムである。
（１）商品に取り付けられた無線通信装置の記憶手段に一部不完全な電子チケット情報が記憶されており前記不完全電子チケット情報は書込み手段を介して前記商品が清算済みであるとの情報が書き込まれることによって完全な電子チケット情報となることを特徴とする電子チケット。
（２）前記無線通信装置はＩＣタグである。
（３）商品に取り付けられた無線通信装置の記憶手段に電子チケット情報が記憶されている電子チケットであってその電子チケット情報は書込み手段を介して情報の処理を行う処理手段から電子チケット情報を受信したものであることを特徴とする電子チケット。
（４）前記無線通信装置はＩＣタグである。
（５）商品に取り付けられた無線通信装置の記憶手段に一部不完全な電子チケット情報が記憶されており前記不完全電子チケット情報は書込み手段を介して情報の処理を行う処理手段から電子チケット情報の一部を受信することによって完全な電子チケット情報となることを特徴とする電子チケット。
（６）前記無線通信装置はＩＣタグである。
（７）興行に関する情報であってその一部が不完全である情報を記憶する不完全興行情報記憶手段と、情報の処理を行う処理手段とを備え、前記処理手段は、商品に取り付けられた無線通信装置に記憶されている電子チケット特定情報を読取手段を介して受信する電子チケット特定情報受信手段と、前記電子チケット特定情報に基づいて前記不完全興行情報を検索し前記不完全興行情報を完全な興行情報に更新する興行情報更新手段と、その更新した前記完全興行情報を書込み手段を介して前記無線通信装置に送信する完全興行情報送信手段とを備えている。
（８）前記興行情報更新手段は、前記商品が清算済みであることを表す情報に更新することにより前記不完全興行情報を前記完全興行情報に更新する手段である。
（９）前記無線通信装置に記憶されている更新された前記完全電子チケット情報は、会場に設置された入場管理手段によって読み取られ入場の許否を判断するための情報となる。
（１０）前記無線通信装置はＩＣタグである。
（１１）チケットの権利情報を電子化したものであって一部が不完全な権利情報である仮電子チケット情報を記憶する仮電子チケット情報記憶手段と、情報の処理を行う処理手段とを備え、前記処理手段は、利用者が使用するチケット受信手段から仮電子チケット特定情報を受け付ける仮電子チケット特定情報受信手段と、前記仮電子チケット特定情報に基づいて前記仮電子チケット情報を検索し該当する仮電子チケット情報を抽出する該仮電子チケット情報抽出手段と、商品に取り付けられた無線通信装置に記憶されている仮電子チケット補完情報を読取手段を介して受信する仮電子チケット補完情報受信手段と、前記仮電子チケット補完情報によって一部が不完全な前記該仮電子チケット情報を完全な電子チケット情報に更新する仮電子チケット情報更新手段と、その更新したことによって完全なものとなった完全電子チケット情報を前記チケット受信手段に送信する完全電子チケット送信手段とを備えている。
（１２）前記仮電子チケット情報更新手段は、前記無線通信装置に記憶されている前記仮電子チケット補完情報を受信したことを表す情報に更新する手段である。
（１３）前記仮電子チケット情報更新手段は、前記商品が清算済みであることを表す情報に更新する手段である。
（１４）前記チケット受信手段に送信された前記完全電子チケット情報は、会場に設置された入場管理手段によって読み取られ入場の許否を判断するための情報となる。
（１５）前記チケット受信手段に送信された前記完全電子チケット情報は、前記チケット受信手段から書込み手段を介して前記無線通信装置に送信されるものであって会場に設置された入場管理手段によって読み取られ入場の許否を判断するための情報となる。
（１６）前記無線通信装置はＩＣタグである。
（１７）応募者に関する情報を記憶する応募者登録情報記憶手段と、チケットの権利情報を電子化した電子チケット情報を記憶する電子チケット情報記憶手段と、情報の処理を行なう処理手段とを備え、前記処理手段は、前記応募者の使用する応募者申込手段から応募申込を受け付ける応募申込受信手段と、商品に取り付けられた無線通信装置の記憶装置に記憶されている前記商品が清算済みであるとの情報が書き込まれた商品情報を読取手段を介して受信する商品情報受信手段と、その受信した前記商品情報によって前記応募者登録情報を更新する応募者登録情報更新手段と、所定数の前記商品情報を受信後に前記応募者が使用する電子チケットを受信するためのチケット受信手段に前記電子チケットを送信する電子チケット送信手段とを備えている。
（１８）前記処理手段は、応募者の中から所定数の当選者を決定するための抽選を行なう抽選処理手段とを備えている。
（１９）前記無線通信装置はＩＣタグである。
【発明の効果】
【０００７】
本発明には次のような効果がある。
（１）コンサートやスポーツの試合など様々な興行において、その協賛企業の特定商品自体を電子チケット化するので、例えばその企業が服飾メーカーであって、特定のＴシャツそれ自体を電子チケット化すれば、その特定のＴシャツの購買意欲を喚起させるのは勿論のこと、そのＴシャツを着た数万人の観客がコンサート会場の全てを埋め尽くすということも可能となり、自社ブランドの宣伝広告効果は計り知れないものとなる。
（２）また、協賛企業の商品自体を電子チケット化するので、その企業にとっては消費者に直接的に訴えることが可能となり、その効果も目に見える形で現れ、また収益に直結するものとなる。
（３）コンサートやスポーツイベントの来場者は大抵、そのコンサート等の観覧の記念としてチケットを保存したりなどするものであるが、本発明によれば、その記念品として、より魅力のあるものを提供することが可能となる。
（４）商品自体に取り付けられたＩＣタグの電子チケット情報は、それだけでは不完全であり、その商品を正規に購入し、専用端末で購入証明を受けて初めて完全な正規のチケットとなるようにすれば、万引き防止策として非常に有効となる。
（５）チケット販売会社のサーバーから電子チケットデータ（仮チケットデータ）を情報端末にダウンロードし、そのダウンロードした仮チケットデータと、商品に取り付けられたＩＣタグのデータとを合成して、完全な電子チケットとすれば、その商品はチケット代金を合算した額ではなく商品のみの価格で販売が可能となり、これによりその商品は購入したいがチケットは不要であるという顧客の希望を満足させることができる。
（６）チケットのプレゼントキャンペーンにおいて、応募対象商品に取り付けられたＩＣタグ情報を所定数集めた応募者にチケットをプレゼントするようにすれば、協賛企業の商品が単価の安い商品であっても、その協賛企業の商品を応募対象商品とすることで、確実に一定量以上の販売が見込めることになる。
【発明を実施するための最良の形態】
【０００８】
本発明は、各種商品を電子チケット化するシステム等に関するものである。
【実施例１】
【０００９】
本発明の実施形態を、以下図面に基づいて説明する。図１は本発明の実施に必要なハードウェアとそのハードウェアの結びつきを表した概略図である。これらハードウェアは、管理サーバー１（チケットを管理する企業が利用するサーバー）と店舗内端末２（商品を購入する店舗内に設置されているコンピュータ）、入場管理端末３（コンサート会場等の入場ゲートに設置されているコンピュータ）、及び携帯電話４とからなり、店舗内端末２、入場管理端末３及び携帯電話４には、それぞれＩＣタグリーダライタ５が接続されている（内蔵されていてもよい）。この管理サーバー１、店舗内端末２、入場管理端末３及び携帯電話４は各々インターネット６（あるいはその他の通信手段）を通じてデータの送受信が可能になるよう接続されている。管理サーバー１、店舗内端末２、入場管理端末３及び携帯電話４はデータを記憶するための記憶装置とデータを送受信するためのデータ送信部及びデータ受信部とを各々内蔵し、それらを用いてデータの送受信を行う。各々の記憶装置には本発明を実現するためのコンピュータプログラムや所定のデータが記憶されている。また管理サーバー１、店舗内端末２、入場管理端末３及び携帯電話４には、情報の処理を行う処理装置が備えられており、この処理装置は前記コンピュータプログラムの処理命令に従って所定の処理を行い本発明を実施する。なおここでは、サーバー１が情報を記憶する記憶手段及び情報の処理を行う処理手段としての役割を果たす。
【００１０】
様々なイベントを企画・運営するチケット管理会社Ｘは、今度開催されるコンサートチケットを、協賛企業であるＹ社製のＴシャツにＩＣタグを埋め込み、そこにチケット情報を格納して、Ｔシャツ自体を電子チケット化して販売することとした。
【００１１】
ここでまず、ＩＣタグについて説明する。
一般にＩＣタグは、データの読み書きを行なう際、ＩＣタグリーダライタ（情報の読み書きを行なう装置）に接触させて行なうか否かによって、接触型ＩＣタグと非接触型ＩＣタグとに分けられる。以下は、非接触型ＩＣタグについて説明するが、これは本願発明を非接触型ＩＣタグに限定する意図ではない。
非接触型ＩＣタグは、対象物に取り付けたＩＣ（集積回路）チップとアンテナ（アンテナコイル）から成っているタグ（荷札）であり、ＩＣチップ内のデータを電磁波や電波に乗せてリーダライタに送ることで、情報の読み取りや書き込み、消去等が可能である。非接触型ＩＣタグは、バーコードと異なり、電波の届く範囲であればどんな向きであっても読み取れるので、複数の対象物の情報を一括読み取りすることも可能であり、またＩＣチップの仕様次第で大容量のデータを記憶しておくことも可能である。現在では、商品に非接触型ＩＣタグを取り付けて在庫管理やレジ精算に利用したり、荷物や運送車両に取り付け、流通や配送ルートの管理等に用いたりしている。また書籍やＣＤに、この非接触型ＩＣタグを取り付け、陳列場所の検索や在庫管理、万引き対策などにも応用されている。
【００１２】
チケット管理会社Ｘが販売するＴシャツには、このＩＣタグが埋め込まれており、そのＩＣチップには電子化されたチケット情報が格納されていて、Ｔシャツそれ自体が電子チケット化されているのである。コンサート観覧希望者は、このＴシャツを店舗で購入しこれを着てコンサート会場へ行き、入場ゲートに設けられたＩＣタグリーダライタがこのＴシャツに取り付けたＩＣタグの情報を読み取って入場の許否を判断する。
しかし上記の例では、チケット情報が格納されたＩＣタグ付きのそのＴシャツが万引きされてしまうと、被害額はＴシャツ自体の価格にチケット料金を合算した額となり甚大な問題となる。ましてそのチケットが入手困難な希少チケットであった場合は、なおさらである。そこで万引き防止策として、本実施例１のような仕組みが考えられるのである。本実施例の処理手順は、図２に示す通り、＜チケット情報受信処理＞→＜不完全興行情報更新処理＞→＜更新完全興行情報送信処理＞の手順で行う。以下、これらの処理について説明する。
【００１３】
＜ＳＴＥＰ１：チケット情報受信処理＞
チケット管理会社Ｘが販売するＴシャツには、電子化されたチケット情報が格納されたＩＣタグが埋め込まれており、そのＴシャツ自体が電子チケットとなるのであるが、そのＩＣタグのチケット情報だけでは不完全であり、Ｔシャツを正規に購入し、店舗内端末で購入証明を受けて初めて完全な正規のチケットとなるようにする。
具体的には、顧客が店舗で手に取ったＴシャツに取り付けられたＩＣタグに格納されているＩＣチップには、「イベント番号：Ｃ２８１１／イベント名：サマーコンサート２００５／チケット番号：Ｃ２８１１−５５３／開催日：２００５年８月１５日／会場：東京アリーナ／座席番号：Ａ−１７１５／清算情報：未」（図３）等のチケット情報が格納されている。これを顧客が購入し、レジで支払を行った際に、ＩＣタグリーダライタ５ａを介してこのチケット情報が読み取られ、店舗内端末２の処理装置によってサーバー１に送信される。
【００１４】
＜ＳＴＥＰ２：不完全興行情報更新処理＞
サーバー１は、このデータを受信し、記憶装置に記憶するとともに、「イベント番号：Ｃ２８１１」及び「チケット番号：Ｃ２８１１−５５３」を検索キーに、あらかじめ記憶されているチケットデータファイル（図４）を検索する。チケットデータファイルとは、それぞれのイベントごとにチケットに関する情報を集めたものである。検索の結果、「イベント番号：Ｃ２８１１／チケット番号：Ｃ２８１１−５５３／イベント名：サマーコンサート２００５／開催日：２００５年８月１５日／会場：東京アリーナ／座席番号：Ａ−１７１５／清算情報：未」（図４）というデータが検索された。サーバー１は、「清算情報：未」を「清算情報：済」に更新し、不完全であったチケットデータを完全なチケットデータとする。
【００１５】
＜ＳＴＥＰ３：更新完全興行情報送信処理＞
次にサーバー１は、この更新されて完全となったデータを店舗内端末２に送信する。これを受信した店舗内端末２は、ＩＣタグリーダライタ５ａを通じて、ＩＣタグのＩＣチップに格納されているチケットデータ（図３）の「清算情報：未」を「清算情報：済」に更新する。すなわち、このＴシャツは正規に購入されたものであるとの情報に更新されたことになる。
このＴシャツを購入した顧客は、コンサート当日、このＴシャツを着て会場に行き、会場に入場する際に、ＩＣタグリーダライタ５ｂを備えた入場管理端末３によって、このＴシャツに取り付けたＩＣタグの情報が読み取られ、入場の許否が判断される。すなわち、来場者が入場ゲートを通過する際、入場ゲートのＩＣタグリーダライタ５ｂがＴシャツに取り付けられたＩＣタグのチケット情報（図３）を読み取ってサーバー１に送信する。サーバー１は、このデータを受信し、「イベント番号：Ｃ２８１１」及び「チケット番号：Ｃ２８１１−５５３」を検索キーにチケットデータファイル（図４）を検索し、「イベント番号：Ｃ２８１１／イベント名：サマーコンサート２００５／チケット番号：Ｃ２８１１−５５３／開催日：２００５年８月１５日／会場：東京アリーナ／座席番号：Ａ−１７１５／清算情報：済」というデータを抽出する。（なおこの段階では、「清算情報」は「済」に更新されているものとする。）そして「清算情報」項目を参照し、これが「済」であれば、入場許可データを入場管理端末３に送信し、顧客は入場ゲートから入場可能となる。一方、「清算情報」項目を参照した結果、これが「未」であれば、正規に購入したものではない、例えば万引き等して不正に入手したものであるとみなして入場拒否データを入場管理端末３に送信し、顧客は入場を拒否される。
【００１６】
なお本実施例においては、管理サーバー１と店舗内端末２及び入場管理端末３は、それぞれインターネット６を通じてデータの送受信を行なっているが、管理サーバー１やインターネット６を用いずに実施することも可能である。つまり、店舗内端末２にチケットデータファイル（図４）を記憶させておき、Ｔシャツに取り付けられたＩＣタグとの間でリーダライタ５ａを介してデータの送受信を行なうようにするのである。また、会場に入場する際においても、入場管理端末３にチケットデータファイル（図４）等のデータを記憶させておき、来場者が入場ゲートを通過する際、入場ゲートのＩＣタグリーダライタ５ｂを介して、Ｔシャツに取り付けられたＩＣタグと入場管理端末３との間でデータの送受信を行うようにして入場の許否を判断するのである。
本実施例において、更新前のチケットデータファイルが不完全興行情報としての役割を果たし、更新後のチケットデータファイルが完全興行情報としての役割を果たし、チケット番号がチケット特定情報としての役割を果たす。また、ＩＣタグが無線通信装置としての役割を果たし、ＩＣタグリーダライタが読取手段及び書込み手段としての役割を果たす。
【実施例２】
【００１７】
上記実施例１では、ＴシャツにＩＣタグを取り付け、そこに電子チケット情報を格納しているため、Ｔシャツの価格は、その商品自体の価格にチケット料金を合算した額となる。このため、そのコンサートに行くつもりはないためチケットは不要であるが、そのＴシャツ自体は購入したいと希望する顧客にとって、そのＴシャツの価格は割高となり購買意欲の妨げとなる。この場合、チケット情報を格納したＴシャツと、チケット情報を格納していないＴシャツの二種類を別々の価格で販売することも一方法ではあるが、そうすると料金体系が複雑となり好ましくない。よって、次のような仕組みが考えられる。
【００１８】
すなわち、Ｔシャツ自体は全て単一の価格で販売し、さらにチケットを購入することを希望する者は、チケット販売会社のサーバーから電子チケットデータ（仮チケットデータ）を情報端末にダウンロードし、そのダウンロードした仮チケットデータと前記Ｔシャツに取り付けられたＩＣタグのデータとを合成して完全な電子チケットとする、というものである。
こうすれば、Ｔシャツ自体は一律の価格で販売することが可能となり、またＴシャツを万引きされても、それはＴシャツの価格のみの損害であり被害は最小限に食い止めることができる。さらに、チケット販売会社のサーバーからダウンロードした電子チケットデータは、いわば仮チケットデータであって、Ｔシャツに取り付けられたＩＣタグのデータと合成して初めて完全なチケットとなることから、チケット所望者は必ずＴシャツを購入しなければならず、よって協賛企業の商品（Ｔシャツ）が確実に売れることになる。
本発明の処理手順は、図５に示す通り、＜仮チケット購入処理＞→＜ＩＣタグ情報受信処理＞→＜仮チケット情報更新処理＞→＜完全チケット送信処理＞→＜会場入場処理＞の手順で行う。以下、これらの処理について述べる。
【００１９】
＜ＳＴＥＰ１:仮チケット購入処理＞
まず、電子チケットをダウンロードするため携帯電話４を使ってチケット管理会社Ｘ社のウェブページにアクセスし、サーバー１に対してチケット購入を申込むためのフォームを要求する。サーバー１はその要求に応えて携帯電話４にチケットを申込むためのフォームを送信する。利用者はこのフォームに従って自分の氏名等の必要なデータを入力することにより、携帯電話４の処理装置は、チケット申込データ「ユーザーＩＤ：Ｕ０１５／イベント番号：Ｃ２８１１／枚数：１枚／支払方法：クレジットカード」（図示せず）を作成し、それをサーバー１に送信する。そして、チケット申込データを受信したサーバー１はそれを記憶装置に記憶する。なおこの利用者は、Ｘ社の提供するサービスを過去に利用したことがあり、既にユーザーＩＤを取得済みであったものとする。また、イベント番号が「Ｃ２８１１」であることは、利用者は事前に知っていたものとする。
【００２０】
このチケット申込データを受信したサーバー１は、「イベント番号：Ｃ２８１１」を検索キーにして、イベント管理ファイルを検索する。イベント管理ファイルとは、イベントに関する情報をイベントごとに集めたものである。検索の結果、「イベント番号：Ｃ２８１１／イベント名：サマーコンサート２００５／開催日：２００５年８月１５日／会場：東京アリーナ／販売予定枚数：５０００枚／販売済５２６枚」（図６）というデータが検索された。サーバー１はこのデータから、既に５２６枚が販売済みであると判断し、該利用者に販売するチケットに対し、チケット番号「Ｃ２８１１−５２７」という番号を割り当てるとともに、所定の方法で座席番号「Ａ−２３１７」（Ａ席の前から２３列目で左から１１番目）という番号を割り当てる。
【００２１】
次に、サーバー１はこれらデータを基にして該利用者にチケットを販売するためのデータを作成する。即ち、仮チケットデータ「イベント番号：Ｃ２８１１／イベント名：サマーコンサート２００５／開催日：２００５年８月１５日／会場：東京アリーナ／チケット番号：Ｃ２８１１−５２７／座席番号：Ａ−２３１７／ＩＣタグ情報：未受信」（図７）を作成する。そしてこのデータを基に、チケット表示データ（携帯電話４にチケットを表示するためのデータ）を作成して携帯電話４に送信し、それを受信した携帯電話４はこれを記憶するとともに、画面上にはこれらのデータを図８のように表示する。これを見た利用者は、「ダウンロード」を選択することにより、携帯電話４の処理装置はダウンロード要求データ「Ｃ２８１１−５２７／ダウンロード要求」を作成してサーバー１に送信する。ダウンロード要求データを受信したサーバー１は、仮チケットデータ「イベント番号：Ｃ２８１１／イベント名：サマーコンサート２００５／開催日：２００５年８月１５日／会場：東京アリーナ／チケット番号：Ｃ２８１１−５２７／座席番号：Ａ−２３１７／ＩＣタグ情報：未受信」（図７）を携帯電話４に送信する。この仮チケットデータは即ち、ＩＣタグの情報を未だ読み取っていない不完全なチケットデータである。このチケットデータを受信した携帯電話４は、携帯電話４に内蔵されているＩＣチップ等の記憶媒体に記憶する。これにより、携帯電話４への仮チケットデータのダウンロードが完了する。なお本実施例では、ダウンロード要求データが送信要求としての役割を果たす。
【００２２】
＜ＳＴＥＰ２：ＩＣタグ情報受信処理＞
一方、利用者が店舗で購入したＴシャツ（このＴシャツは、実施例１の購入証明を受けたものであっても購入証明を受けたものでなくても構わない）のＩＣタグには、例えば「イベント番号：Ｃ２８１１／イベント名：サマーコンサート２００５／開催日：２００５年８月１５日／会場：東京アリーナ／チケット番号：情報なし／座席番号：情報なし／ＩＣタグ情報：未送信」（図９）等のデータが格納されている。
利用者は、例えばＩＣタグリーダライタ５ｃを接続した携帯電話４等で、このＴシャツに取り付けられたＩＣタグのデータを読み込み、チケット番号「Ｃ２８１１−５２７」を入力してサーバー１に送信する。
なお本実施例では、ＩＣタグに格納されている上記データが仮電子チケット補完情報としての役割を果たし、チケット番号が仮電子チケット特定情報としての役割を果たす。
【００２３】
＜ＳＴＥＰ３：仮チケット情報更新処理＞
サーバー１は、ＩＣタグの情報のうちの「イベント番号：Ｃ２８１１」とチケット番号「Ｃ２８１１−５２７」に基づいて、イベントごとに集められた複数の仮チケットデータ（図７）からなる仮チケットデータファイルを検索し、当該仮チケットデータ「イベント番号：Ｃ２８１１／イベント名：サマーコンサート２００５／開催日：２００５年８月１５日／会場：東京アリーナ／チケット番号：Ｃ２８１１−５２７／座席番号：Ａ−２３１７／ＩＣタグ情報：未受信」（図７）を抽出する。そしてサーバー１は、このデータ中の「ＩＣタグ情報：未受信」を「ＩＣタグ情報：受信済」に更新する。これにより完全なチケットデータとなるのである。なお本実施例において、更新前の不完全な仮チケットデータファイルが仮電子チケット情報としての役割を果たし、更新後の完全なチケットデータファイルが完全電子チケット情報としての役割を果たし、イベント番号がチケット特定情報としての役割を果たす。
【００２４】
＜ＳＴＥＰ４：完全チケット送信処理＞
サーバー１は、この完全なものとなった電子チケットデータを携帯電話４に送信し、携帯電話４はこのデータを受信することにより、「イベント番号：Ｃ２８１１／イベント名：サマーコンサート２００５／開催日：２００５年８月１５日／会場：東京アリーナ／チケット番号：Ｃ２８１１−５２７／座席番号：Ａ−２３１７／ＩＣタグ情報：受信済」（図１０）という完全なチケットデータが得られる。つまり本実施例においては、携帯電話４がチケット受信手段としての役割を果たしている。
なおここでサーバー１は、完全な電子チケットデータを携帯電話４に送信し、携帯電話４はこれを受信することによって完全な電子チケットを得ているが、この方法に限るものではない。つまり、「携帯電話４に既に記憶されている仮チケットデータ（図７）を完全なものとすべき旨のデータ」（例えば、仮チケットデータ中の「ＩＣタグ情報：未受信」を「ＩＣタグ情報：受信済」に更新すべき旨のデータ等）をサーバー１が携帯電話４に送信するものであっても構わない。つまりサーバー１が、完全な電子チケットデータそのものを携帯電話４に送信するケースに限るものではない。
【００２５】
さらに携帯電話４の処理装置は、ＩＣタグリーダライタ５ｃを通して、この完全なチケットデータをＩＣタグに送信し、ＩＣタグの情報「イベント番号：Ｃ２８１１／イベント名：サマーコンサート２００５／開催日：２００５年８月１５日／会場：東京アリーナ／チケット番号：情報なし／座席番号：情報なし／ＩＣタグ情報：未送信」のうち、「チケット番号」、「座席番号」及び「ＩＣタグ情報」の項目を更新して、完全なチケットデータ「イベント番号：Ｃ２８１１／イベント名：サマーコンサート２００５／開催日：２００５年８月１５日／会場：東京アリーナ／チケット番号：Ｃ２８１１−５２７／座席番号：Ａ−２３１７／ＩＣタグ情報：送信済」（図１１）に更新する。
【００２６】
＜ＳＴＥＰ５：会場入場処理＞
コンサート当日、利用者は、ＩＣタグに電子チケットデータが記憶されているこのＴシャツを着て会場に行く。会場入口には、ＩＣタグリーダライタ５ｂを備えた入場管理端末３が設置されており、入場者がゲートを通過する際に、Ｔシャツに取り付けられたＩＣタグの情報を読み取ることにより、入場の許否を判断する。すなわち入場管理端末３は、ＩＣタグリーダライタ５ｂを介してＩＣタグに記憶されているチケット情報を読み取ってサーバー１に送信し、サーバー１は、このデータを受信して、「イベント番号：Ｃ２８１１」及び「チケット番号：Ｃ２８１１−５２７」を検索キーに仮チケットデータファイルを検索し、「イベント番号：Ｃ２８１１／イベント名：サマーコンサート２００５／開催日：２００５年８月１５日／会場：東京アリーナ／チケット番号：Ｃ２８１１−５２７／座席番号：Ａ−２３１７／ＩＣタグ情報：受信済」（図１２）というデータを抽出する。そして「ＩＣタグ情報」項目を参照し、これが「受信済」であれば、入場許可データを入場管理端末３に送信し、利用者は入場ゲートから入場可能となる。一方、「ＩＣタグ情報」項目を参照した結果、これが「未受信」であれば、Ｔシャツに取り付けられたＩＣタグ情報を読み取っていないとみなして入場拒否データを入場管理端末３に送信し、利用者は入場を拒否される。本実施例において、入場管理端末が入場管理手段としての役割を果たす。
【００２７】
ここで上記実施例２においては、ＩＣタグの取り付けられたＴシャツ自体がチケットの代わりとなっている。すなわち会場に設置された入場ゲートでは、入場管理端末３でＴシャツに取り付けられたＩＣタグの情報を読み取って入場の許否を判断しているが、電子チケットデータが記憶されている携帯電話がチケットの役割を果たすようにしてもよい。すなわち、入場ゲートに設置された入場管理端末３で、携帯電話にダウンロードされた電子チケットデータを読み取って入場の許否を判断するようにしてもよい。このようにすれば、ＩＣタグの記憶容量が不足する場合や、ＩＣタグが取り付けられている商品が大型のものであって会場に持ち込めないようなもの（例えばオートバイやベッドなど）であっても対応可能となる。
なお実施例１と同様、管理サーバー１やインターネット５を用いずに本実施例を実現することも可能である。
【実施例３】
【００２８】
上記実施例１及び２では、一つの商品に取り付けられているＩＣタグの情報が、１枚のチケット情報となる例であるが、本実施例は、複数の商品に取り付けられているＩＣタグの情報を所定の数だけ集めることで、１枚のチケット情報となる例である。例えば、缶ジュース５本購入した人にチケットをプレゼントする、又はプレゼントキャンペーンの応募資格を与える、というものである。つまりチケット所望者は、購入証明を受けた缶ジュース１本１本のＩＣタグ情報を読み取ってそれらをサーバー１に送信し、サーバー１はこれを蓄積させていって５本分集まったところでチケットをプレゼントするか、又は抽選後当選者にプレゼントする。本発明の処理手順は、図１３に示す通り、＜商品清算処理＞→＜応募者登録処理＞→＜応募商品情報受信処理＞→＜チケット送信処理＞の手順で行う。以下、これらの具体的な処理について説明する。
【００２９】
＜ＳＴＥＰ１：商品清算処理＞
チケット応募者はまず、店舗で缶ジュース１本を購入する（５本まとめて購入してもよい。）。その缶ジュースにはＩＣタグが取り付けられており、例えば、「イベント番号：Ｃ２８１１／イベント名：サマーコンサート２００５／開催日：２００５年８月１５日／会場：東京アリーナ／商品ＩＤ：Ｂ４７８／清算情報：未」（図１４）等の商品データが格納されている。これを店舗内端末２の処理装置は、ＩＣタグリーダライタ５ａから読み込み、サーバー１に送信する。サーバー１は、このデータを受信し、記憶装置に記憶するとともに、「イベント番号：Ｃ２８１１」及び「商品ＩＤ：Ｂ４７８」を検索キーに、あらかじめ記憶されている商品データファイルを検索する。商品データファイルとは、商品に関する情報をイベントごとに集めたものである。検索の結果、「イベント番号：Ｃ２８１１／商品ＩＤ：Ｂ４７８／イベント名：サマーコンサート２００５／開催日：２００５年８月１５日／会場：東京アリーナ／清算情報：未」（図１５）というデータが検索された。サーバー１は、「清算情報：未」を「清算情報：済」に更新するととともに、この更新されたデータを店舗内端末２に送信する。これを受信した店舗内端末２は、ＩＣタグリーダライタ５ａを通じて、ＩＣタグのＩＣチップに格納されている情報「イベント番号：Ｃ２８１１／イベント名：サマーコンサート２００５／開催日：２００５年８月１５日／会場：東京アリーナ／商品ＩＤ：Ｂ４７８／清算情報：未」（図１４）の「清算情報：未」を「清算情報：済」に更新する。
【００３０】
＜ＳＴＥＰ２：応募者登録処理＞
応募者（「佐藤一郎」とする。）は、自分の携帯電話４を使用して、Ｘ社のウェブサイトにアクセスし、自分のユーザーＩＤや「イベント番号：Ｃ２８１１」等を入力して応募者登録を行なう。ユーザー確認データを受信したサーバー１は、予め作成され記憶されている応募者ファイルに、この佐藤さんのデータを登録する処理を行う。この応募者ファイルとは、様々なイベントキャンペーンごとに集められた複数の応募者レコードからなるものであり、サーバー１は、この「イベント番号：Ｃ２８１１」を検索キーに応募者ファイルを検索し、この佐藤さんのデータ「イベント番号：Ｃ２８１１／名前：佐藤一郎／ユーザーＩＤ：Ｕ０１５／パスワード：１５４９／住所：東京都港区赤坂○−○−○／年齢：２５／性別：男／電話番号：０３−３５８２−△△△△／クレジットカード番号：１２３４-５６７８-４３２１-ＸＸＸＸ／電子メール：sato@xxx.co.jp／ＩＣタグ情報１：未受信／ＩＣタグ情報２：未受信／ＩＣタグ情報３：未受信／ＩＣタグ情報４：未受信／ＩＣタグ情報５：未受信」（図１６）を記憶する。本実施例において、応募者ファイルが応募者登録情報としての役割を果たす。
【００３１】
＜ＳＴＥＰ３：応募商品情報受信処理＞
次に、携帯電話４に接続されたＩＣタグリーダライタ５ｃを使用して、缶ジュースに取り付けられたＩＣタグの情報「イベント番号：Ｃ２８１１／イベント名：サマーコンサート２００５／商品ＩＤ：Ｂ４７８／開催日：２００５年８月１５日／会場：東京アリーナ／清算情報：済」を読み取り、また携帯電話４の入力装置を使用して「ユーザーＩＤ：Ｕ０１５」を入力してサーバー１に送信する。サーバー１はこれを受信し、「ユーザーＩＤ：Ｕ０１５」を検索キーに応募者ファイルを検索して佐藤さんの応募者レコードを抽出し、またＩＣタグリーダライタ５ｃで読み取ったＩＣタグのデータのうち「清算情報：済」を参照して、この缶ジュースは正規に購入したものであると判断し、佐藤さんの応募者レコード（図１６）の「ＩＣタグ情報１：未受信」を「ＩＣタグ情報１：受信済」に更新する。
なお、缶ジュースに取り付けられたＩＣタグの情報のうち、「清算情報」が「未」であった場合には、この情報を受信したサーバー１は、この缶ジュースは正規に購入されたものではないと判断し、予め記憶されている「この商品は未清算のため応募登録できません。」のメッセージを携帯電話４に送信する。
【００３２】
応募者は、缶ジュース１本購入するたびごとにこの応募処理を行う。もちろん一度に５本以上を購入して、５本まとめて応募処理を行っても構わない。５本分のＩＣタグ情報を読み取って、その送信処理が全て完了したら、応募者の応募者レコードは、「イベント番号：Ｃ２８１１／名前：佐藤一郎／ユーザーＩＤ：Ｕ０１５／パスワード：１５４９／住所：東京都港区赤坂○−○−○／年齢：２５／性別：男／電話番号：０３−３５８２−△△△△／クレジットカード番号：１２３４-５６７８-４３２１-ＸＸＸＸ／電子メール：sato@xxx.co.jp／ＩＣタグ情報１：受信済／ＩＣタグ情報２：受信済／ＩＣタグ情報３：受信済／ＩＣタグ情報４：受信済／ＩＣタグ情報５：受信済」に更新される。
【００３３】
＜ＳＴＥＰ４：チケット送信処理＞
そしてＸ社は、プレゼントキャンペーンの応募期間終了後に、この缶ジュース５本のＩＣタグの情報全てが受信済となった応募者に対してチケットをプレゼントする。すなわちサーバー１は、「イベント番号：Ｃ２８１１」を検索キーに応募者ファイルを検索し、「ＩＣタグ情報」の全てが「受信済」となっている応募者の携帯電話４に電子チケットデータを送信する。又は、サーバー１は、乱数発生装置等を使用した公知の抽選処理を行った後、当選した者のみにチケットデータを送信するようにしてもよい。なお、チケットの割り当て処理及びチケット所望者の使用する携帯電話４への送信処理等に関しては、実施例２と同様である。本実施例において携帯電話４が、応募者申込手段及びチケット受信手段としての役割を果たす。
【００３４】
上記実施例においては特定のケースについて説明したが、本発明はこれら特定のケースに限るものではない。
（１）データの内容は実施例で説明したデータに限らない。即ち、同様の役割を果たすことができれば、他のどのようなデータであっても構わない。
（２）ハードウェアも実施例で説明したものに限らない。即ち、同様の役割を果たすことができれば、他のどのようなハードウェアであっても構わない。
（３）処理の内容や手順についても実施例で説明したものに限らない。即ち、同様の役割を果たすことができれば、他のどのような処理内容・処理手順であっても構わない。
（４）上記実施例に登場するデータレコードやデータファイルのデータ（データ項目）は、原則として各々関連づけられて（対応づけられて）記憶装置に記憶されているものとする。図面に表されたものについても同様である。
【図面の簡単な説明】
【００３５】
【図１】本発明を実現するための装置の概略を表した図である。
【図２】実施例１の処理フローを表した図である。
【図３】チケットデータを表した図である。
【図４】チケットデータファイルを表した図である。
【図５】実施例２の処理フローを表した図である。
【図６】イベント管理ファイルを表した図である。
【図７】仮チケットデータを表した図である。
【図８】仮電子チケットダウンロード画面を表した図である。
【図９】チケットデータを表した図である。
【図１０】携帯電話に記憶された完全チケットデータを表した図である。
【図１１】ＩＣタグに記憶された完全チケットデータを表した図である。
【図１２】仮チケットデータを表した他の図である。
【図１３】実施例３の処理フローを表した図である。
【図１４】商品データを表した他の図である。
【図１５】商品データファイルを表した他の図である。
【図１６】応募者ファイルを表した図である。
【符号の説明】
【００３６】
１  サーバー
２  店舗内端末
３  入場管理端末
４  携帯電話
５  ＩＣタグリーダライタ
６  インターネット
【図１】
2006113646.tif 000003
【図２】
2006113646.tif 000004
【図３】
2006113646.tif 000005
【図４】
2006113646.tif 000006
【図５】
2006113646.tif 000007
【図６】
2006113646.tif 000008
【図７】
2006113646.tif 000009
【図８】
2006113646.tif 000010
【図９】
2006113646.tif 000011
【図１０】
2006113646.tif 000012
【図１１】
2006113646.tif 000013
【図１２】
2006113646.tif 000014
【図１３】
2006113646.tif 000015
【図１４】
2006113646.tif 000016
【図１５】
2006113646.tif 000017
【図１６】
2006113646.tif 000018